(57)【特許請求の範囲】
【請求項１】
左右一対のブラケットにスライドレールを介して前後方向移動自在の棚を架設して成るショーケースにおいて、
前記各ブラケットから対向する他方のブラケット方向にそれぞれ延在する内面板と、これら両ブラケットの内面板間に渡って取り付けられた補強部材とを備え、前記両内面板は各ブラケットの近傍から離間する方向に高く傾斜する傾斜面と、この傾斜面の先端から連続して水平方向に屈曲された水平面とをそれぞれ備え、前記補強部材の両側部は前記両内面板の傾斜面と水平面の双方にそれぞれ当接することを特徴とするショーケースの棚装置。
【請求項２】
補強部材の両側部は、両内面板の傾斜面と水平面に沿って双方に固定されることを特徴とする請求項１のショーケースの棚装置。
【請求項３】
補強部材の両側部は両内面板の水平面に固定されると共に、当該固定部分より両端側は下方に低く傾斜して屈曲され、その先端は両内面板の傾斜面に突き当てられていることを特徴とする請求項１のショーケースの棚装置。
【発明の詳細な説明】
【０００１】
【発明の属する技術分野】
本発明は、ショーケースの庫内に架設され、前後方向に移動することにより引き出し自在とされた棚を具備するショーケースの棚装置に関するものである。
【０００２】
【従来の技術】
従来よりこの種ショーケースには商品陳列用の棚が複数段架設されている。これらの棚はブラケットと棚支柱の係合孔との係脱によって上下方向には移動可能であるものの、一般的に前後方向には固定されている。しかしながら、特に棚の奥部に商品を陳列することが困難であるため、従来より例えば特開２０００−８３７７４号公報に示される如き可動棚が開発されていた。
【０００３】
この場合、棚はスライドレールを介してブラケットに取り付けられ、引き出し自在とされており、その下面には回動軸に回動自在に取り付けられ、前端の操作部と後端のフック部とを具備したロック部材が設けられている。一方、ブラケットには、棚が押し込まれた際にロック部材のフック部が係脱自在に係合する係合部と、フック部を常時係合部に係合する方向に付勢する付勢部材が設けられる。また、棚には、回動軸の軸方向と直交する規制面を備えた規制部材が設けられ、この規制部材の規制面をロック部材に摺動自在に当接若しくは近接させていた。
【０００４】
そして、棚を引き出す際には付勢部材に抗して操作部によりロック部材を回動させ、フック部と係止部との係合を解き、手前側に引き出すと共に、ブラケット側に棚を押し込めば、フック部が再び係合部に係合して棚が安定的に保持される構造とされていた。
【０００５】
【発明が解決しようとする課題】
ところで、このような構造の可動棚では、ブラケットが左右に振れて全体に歪みが生じると、棚を前後に引き出し難くなる。そこで、前記後方でも左右のブラケット間に渡る連結板を取り付けて係るブラケットが左右に振れることを防止しようとしていたが、ブラケットの内面板と連結板を水平な面で重ね合わせて固定するのみの構造であったため、水平方向で左右に振れる変形に対してどうしてもその結合強度に限界が生じ、歪みの発生を十分に防止できない問題があった。
【０００６】
本発明は係る従来の技術的課題を解決するために成されたものであり、引き出し自在の棚を備えたショーケースにおいて、歪みの発生による動作不良を効果的に防止できる棚装置を提供するものである。
【０００７】
【課題を解決するための手段】
本発明の棚装置は、左右一対のブラケットにスライドレールを介して前後方向移動自在の棚を架設して成るショーケースに適用され、各ブラケットから対向する他方のブラケット方向にそれぞれ延在する内面板と、これら両ブラケットの内面板間に渡って取り付けられた補強部材とを備え、両内面板は各ブラケットの近傍から離間する方向に高く傾斜する傾斜面と、この傾斜面の先端から連続して水平方向に屈曲された水平面とをそれぞれ備え、補強部材の両側部は両内面板の傾斜面と水平面の双方にそれぞれ当接することを特徴とする。
【０００８】
本発明によれば、左右一対のブラケットにスライドレールを介して前後方向移動自在の棚を架設して成るショーケースの棚装置において、各ブラケットから対向する他方のブラケット方向にそれぞれ延在する内面板と、これら両ブラケットの内面板間に渡って取り付けられた補強部材とを備え、両内面板は各ブラケットの近傍から離間する方向に高く傾斜する傾斜面と、この傾斜面の先端から連続して水平方向に屈曲された水平面とをそれぞれ備えており、補強部材の両側部は両内面板の傾斜面と水平面の双方にそれぞれ当接するようにしたので、補強板と内面板との結合強度が向上する。
【０００９】
特に、補強部材は棚装置に加わる水平方向の応力を、内面板の傾斜面と水平面に位置する二箇所の当接部分で受けることになるので、ブラケット或いは棚装置の左右への振れを有効に阻止し、棚装置の歪みを防止若しくは最小限に抑えることができるようになる。これにより、棚の前後移動がより円滑となって使用性も向上するものである。
【００１０】
請求項２の発明のショーケースの棚装置は、上記において補強部材の両側部は、両内面板の傾斜面と水平面に沿って双方に固定されることを特徴とする。
【００１１】
請求項２の発明によれば、上記に加えて補強部材の両側部を、両内面板の傾斜面と水平面に沿って双方に固定しているので、補強部材と内面板の結合強度は一層改善され、棚装置の歪み防止効果も更に向上する。
【００１２】
請求項３の発明のショーケースの棚装置は、請求項１において補強部材の両側部は両内面板の水平面に固定されると共に、当該固定部分より両端側は下方に低く傾斜して屈曲され、その先端は両内面板の傾斜面に突き当てられていることを特徴とする。
【００１３】
請求項３の発明によれば、請求項１に加えて補強部材の両側部を両内面板の水平面に固定すると共に、当該固定部分より両端側を下方に低く傾斜して屈曲させ、その先端を両内面板の傾斜面に突き当てたので、補強部材の先端は内面板の傾斜面に圧接し、水平面には固定されるので、同様に補強部材と内面板の結合強度を一層改善することができるようになる。特に、この場合には固定箇所が削減されるので、組立作業性も改善されるものである。
【００１４】
【発明の実施の形態】
以下、図面に基づき本発明の実施形態を詳述する。図１は本発明の棚装置１を適用したショーケース２の縦断側面図、図２は本発明の棚装置１の一部切欠側面図、図３は棚３を収納した状態の棚装置１の下面図、図４は棚装置１の一部切欠拡大正面図、図５は棚装置１前部の一部切欠拡大側面図、図６は棚装置１前部の拡大下面図、図７は棚装置１の拡大縦断正面図である。
【００１５】
図１において、ショーケース２は前方に開口した断面略コ字状の断熱箱体５によって構成されており、この断熱箱体５の内側に沿って二重の区画板６、７が配設され、内側の区画板６の内部に前方に開口する貯蔵室８と、区画板６、７間及び区画板７と断熱箱体５間に冷気通路９、１０が構成されている。貯蔵室８の底部のデッキパン１１上には前方に引き出し自在の可動棚４が設けられると共に、デッキパン１１の下方には冷気通路９、１０と連通する冷却室１２が構成され、ここに冷却器１３と冷気循環用の送風機１４が収納設置されている。
【００１６】
冷却器１３によって冷却された冷気は送風機１４によって冷気通路９、１０を通り、開口１６の上縁の吹出口９Ａ、１０Ａから吹き出され、開口１６にエアーカーテンを形成しながら貯蔵室８を冷却し、吹き出された冷気は開口１６下縁の吸込口１７から吸い込む。
【００１７】
断熱箱体５の下方には機械室１９が構成され、この機械室１９内に前記冷却器１３と共に冷凍サイクルを構成する圧縮機２０と凝縮器２１及び凝縮器用送風機２２が設けられている。
【００１８】
この棚装置１は、後端に後方に突出する鉤状の爪２７・・を有した左右一対のブラケット２８、２８と、このブラケット２８の内面板２８Ａの内側にその固定側２９Ａがネジ止めされたスライドレール２９と、このスライドレール２９の可動側２９Ｂが取付板３４にネジ止めされてブラケット２８、２８に前後移動自在に支持された棚３と、棚支柱２５などから構成されている。尚、３Ａは棚３の両側端からブラケット２８の外側に降下する棚３の側壁であり、ブラケット２８の上縁部分を隠蔽する機能を奏する。
【００１９】
棚支柱２５は貯蔵室８内の区画板６前面両側及び中央部に取り付けられ、上下に所定間隔で複数の係合孔２４・・・が穿設されている。そして、隣り合う棚支柱２５、２５間に渡って棚３が左右に二列複数段架設される。ブラケット２８、２８は前記爪２７・・を棚支柱２５の係合孔２４・・に挿入係合させることにより、着脱自在に棚支柱２５に保持される。
【００２０】
前記一対のブラケット２８、２８の内面板２８Ａ、２８Ａ後部には、補強部材としての連結板３０がそれらに渡ってネジ３１、３１にて固定されており、この連結板３０によって両ブラケット２８、２８は相互に連結される。このとき、内面板２８Ａには図７に示すようにブラケット２８の近傍から離間する方向に高く傾斜して立ち上がる傾斜面３２が形成されており、当該傾斜面３２の先端には連続して水平方向に屈曲された水平面３３が形成されている。
【００２１】
一方、連結板３０の両側部には上記傾斜面３２と水平面３３とが成す角度と略同一の角度で下方に屈曲された傾斜面３５が形成されており、この傾斜面３５を内面板２８Ａの傾斜面３２の外面に密着させることにより、連結板３０の両側部は内面板２８Ａの傾斜面３２と水平面３３に沿ってそれらの外面に密着される。そして、その状態で、図７に示す如くネジ３１、３１により連結板３０は内面板２８Ａの傾斜面３２と水平面３３の双方に固定されている。
【００２２】
このように内面板２８Ａに傾斜面３３が形成されていることにより、例えば垂直に立ち上げた場合に比して貯蔵室８内の冷気循環は円滑化されると共に、傾斜させない、即ち、立ち上げない場合に比して貯蔵室８の有効貯蔵容積が拡大される。また、外観も向上する。
【００２３】
また、連結板３０は内面板２８Ａの傾斜面３２と水平面３３の双方に当接して固定されているので、連結板３０と内面板２８Ａとの結合力は強力なものとなり、補強効果が著しく向上する。特に、連結板３０は棚装置１に加わる水平方向の応力を、内面板２８Ａの傾斜面３２と水平面３３に位置する二箇所の当接部分で受けることになるので、ブラケット２８或いは棚装置１の左右への振れを有効に阻止し、棚装置１の歪みを防止若しくは最小限に抑えることができるようになる。これにより、後述するような棚３の前後移動がより円滑となって使用性も向上する。
【００２４】
更に、棚３の下面には左右に渡ってフレーム３７が取り付けられており、このフレーム３７は部分的に図５に示す如く略階段状に下方に突出している。また、棚３の前端部には棚飾り３６が取り付けられている。この棚飾り３６は後端が前記フレーム３７に固定され、そこから棚３の下側を経て棚３の前方に起立している。
【００２５】
尚、実施例ではブラケット２８に別物の内面板２８Ａを取り付けているが、それに限らず、ブラケット２８と一体（曲げ可能などにより）に内面板２８Ａを形成してもよい。
【００２６】
一方、一対のブラケット２８、２８のうちの例えば向かって右側のブラケット２８の前端上縁部には、当該ブラケット２８の内側（一対のブラケット２８、２８間に位置する側）に受け金具３８がネジ３９、３９により固定されている（図４、図６）。この受け金具３８の上面前部には、前側が前方に低く傾斜する傾斜面４１とされ、後側が略垂直に降下する形状とされた被係合部４２が形成されており、この被係合部４２はブラケット２８の上縁から上方に突出している（図４、図５）。
【００２７】
他方、図２及び図３の如く収納された状態で上記受け金具３８の近傍に位置する棚３の下面には係合部材４４が取り付けられている。この係合部材４４は、一枚の弾性を有した薄肉鋼板にて構成されており、図６に示す如く下側から見て左側（ブラケット２８から離間している側）に取付部４６が形成され、この取付部４６がネジ４７、４７により前記棚３のフレーム３７に固定されている。
【００２８】
この係合部材４４は、取付部４６から連続して前方に斜めに降下した後、水平となり、更に全体としては図６の右方（ブラケット２８方向）に延在する弾性係合部４８が形成されている。この弾性係合部４８はその弾性を利用して先端４８Ａが上下する方向に変形自在とされていると共に、先端部４８Ａから少許取付部４６側の部分の前縁には、前方に突出した後、略直角に降下し、更に下端が後方に略直角に屈曲された操作部４９が一体に折曲形成されている。
【００２９】
そして、棚３が図２及び図３の如く収納された状態では、係合部材４４の弾性係合部４８の先端はブラケット２８に取り付けられた受け金具３８に至り、その被係合部４２の後側に係脱自在に係合する寸法及び位置関係とされている。尚、前記棚飾り３６は少なくともこの係合部材４４の操作部４９に対応する部分が切り欠かれている（図６）。
【００３０】
以上の構成で、棚３が図２、図３に示す如く貯蔵室８内に押し込まれて収納されている状態では、係合部材４４の弾性係合部４８の先端４８Ａは、図４乃至図６に示す如く受け金具３８の被係合部４２の後側に係合している。このとき、弾性係合部４８は全体が略水平状態で変形しておらず、これによって、棚３は安定的に保持され、顧客が商品を取り出す際などに、不用意に棚３が手前側に移動してしまうことも防止される。
【００３１】
次に、棚３を貯蔵室８内から手前に引き出す場合には、係合部材４４の操作部４９の下面に指を宛い、上に持ち上げれば、弾性係合部４８はその弾性により先端４８Ａが上に移動するように変形する。これによって、弾性係合部４８の先端４８Ａは被係合部４２を乗り越え、それらの係合は解かれる。この状態で、棚３は自由となり図８（この図ではスライドレールは省略されている）に示す如く手前側に移動可能となる。
【００３２】
その後、再び棚３を貯蔵室８に戻すために押し込んで行くと、やがて弾性係合部４８の先端４８Ａが被係合部４２の傾斜面４１に当接する。そして、更に棚３を押し込むことにより、弾性係合部４８の先端は４８Ａは傾斜面４１に沿って持ち上がり、被係合部４２を乗り越えてその後復元力で先端４８Ａは降下し、被係合部４２の後側に係合する。以後棚３は前述の如く安定的に保持される。
【００３３】
このように、係合部材４４は弾性係合部４８の弾性を利用した上下動で被係合部４２との係脱を達成しているので、従来に比して構造が簡素化されると共に寸法も小型化されるので、コストの削減と棚３上への商品載置能力の改善を図れるようになる。また、係合部材４４は両ブラケット２８、２８間に位置する棚３下面に設けられているので、ブラケット２８の外側の無効スペースも最小限とすることが可能となり、両ブラケット２８、２８を最大限離間させて商品載置性能の改善を図ることも可能となる。
【００３４】
また、係合部材４４は、その先端４８Ａより取付部４６側の部分に下方に降下する操作部４９を備えているので、この操作部４９に指を当てて持ち上げることにより、弾性係合部４８を容易に上側に変形させることができるようになり、操作性が向上する。
【００３５】
尚、実施例ではブラケット２８に被係合部４２を有する受け金具３８を取り付ける構成としたが、それに限らず、ブラケット２８自体の上縁形状を成形することにより、傾斜面４１付きの被係合部４２を構成してもよい。
【００３６】
次に、図９は本発明の棚装置１の他の実施例を示している。前記図７の場合には連結板３０の両側部（傾斜面３５）がブラケット２８の内面板２８Ａの傾斜面３２及び水平面３３の外面に密着されていたが、この図の場合には連結板３０の両側部（傾斜面３５）がブラケット２８の内面板２８Ａの傾斜面３２及び水平面３３の内面に密着され、双方にネジ３１、３１で固定されている。
【００３７】
係る構成によっても図７同様に連結板３０と内面板２８Ａとの結合力は強力なものとなり、補強効果が著しく向上するので、ブラケット２８、２８が左右に振れることによる棚装置１の歪みや棚３の引き出し動作の不良を効果的に防止することができるようになる。
【００３８】
次に、図１０は本発明の棚装置１の更に他の実施例を示している。この場合、連結板３０の両側に形成された傾斜面３５は、内面板２８Ａの傾斜面３２と水平面３３が成す角度よりも鈍角で下方に屈曲されている。そして、この傾斜面３５の先端が内面板２８Ａの傾斜面３２の外面に突き当てられると共に、その状態で連結板３０は内面板２８Ａの水平面３３外面に密着され、そこをネジ３１にて固定されている。
【００３９】
係る構成によっても連結板３０は内面板２８Ａの傾斜面３２と水平面３３の双方に当接して固定されると共に、傾斜面３５の先端は自らの弾性で内面板２８Ａの傾斜面３２に圧接し、或いは、食い込むので、連結板３０と内面板２８Ａとの結合力は強力なものとなり、補強効果が著しく向上する。これによって、ブラケット２８、２８が左右に振れることによる棚装置１の歪みや後述するような棚３の引き出し動作の不良を効果的に防止することができるようになる。
【００４０】
特に、この場合には内面板２８Ａへのネジ（３１）止め箇所が前記実施例の２箇所から１箇所へと減少するので、組立作業も簡素化され、その分コストの削減を図ることが可能となる。
【００４１】
【発明の効果】
以上詳述した如く本発明によれば、左右一対のブラケットにスライドレールを介して前後方向移動自在の棚を架設して成るショーケースの棚装置において、各ブラケットから対向する他方のブラケット方向にそれぞれ延在する内面板と、これら両ブラケットの内面板間に渡って取り付けられた補強部材とを備え、両内面板は各ブラケットの近傍から離間する方向に高く傾斜する傾斜面と、この傾斜面の先端から連続して水平方向に屈曲された水平面とをそれぞれ備えており、補強部材の両側部は両内面板の傾斜面と水平面の双方にそれぞれ当接するようにしたので、補強板と内面板との結合強度が向上する。
【００４２】
特に、補強部材は棚装置に加わる水平方向の応力を、内面板の傾斜面と水平面に位置する二箇所の当接部分で受けることになるので、ブラケット或いは棚装置の左右への振れを有効に阻止し、棚装置の歪みを防止若しくは最小限に抑えることができるようになる。これにより、棚の前後移動がより円滑となって使用性も向上するものである。
【００４３】
請求項２の発明によれば、上記に加えて補強部材の両側部を、両内面板の傾斜面と水平面に沿って双方に固定しているので、補強部材と内面板の結合強度は一層改善され、棚装置の歪み防止効果も更に向上する。
【００４４】
請求項３の発明によれば、請求項１に加えて補強部材の両側部を両内面板の水平面に固定すると共に、当該固定部分より両端側を下方に低く傾斜して屈曲させ、その先端を両内面板の傾斜面に突き当てたので、補強部材の先端は内面板の傾斜面に圧接し、水平面には固定されるので、同様に補強部材と内面板の結合強度を一層改善することができるようになる。特に、この場合には固定箇所が削減されるので、組立作業性も改善されるものである。
【図面の簡単な説明】
【図１】本発明の棚装置を適用したショーケースの縦断側面図である。
【図２】本発明の棚装置の一部切欠側面図である。
【図３】棚を収納した状態の本発明の棚装置の下面図である。
【図４】本発明の棚装置の一部切欠拡大正面図である。
【図５】本発明の棚装置前部の一部切欠拡大側面図である。
【図６】本発明の棚装置前部の拡大下面図である。
【図７】本発明の棚装置の拡大縦断正面図である。
【図８】棚を引き出した状態の本発明の棚装置の下面図である。
【図９】本発明の他の実施例の棚装置の拡大縦断正面図である。
【図１０】本発明のもう一つの他の実施例の棚装置の拡大縦断正面図である。
【符号の説明】
１  棚装置
３  棚
２８  ブラケット
２８Ａ  内面板
２９  スライドレール
３０  連結板
３２  傾斜面
３３  水平面
３５  傾斜面
３８  受け金具
４１  傾斜面
４２  被係合部
４４  係合部材
４６  取付部
４８  弾性係合部
４８Ａ  先端
４９  操作部
【図１】
0003995389.tif 000002
【図２】
0003995389.tif 000003
【図３】
0003995389.tif 000004
【図４】
0003995389.tif 000005
【図５】
0003995389.tif 000006
【図６】
0003995389.tif 000007
【図７】
0003995389.tif 000008
【図８】
0003995389.tif 000009
【図９】
0003995389.tif 000010
【図１０】
0003995389.tif 000011